(57)【要約】  【課題】  配電盤や制御盤等の装置を地震等による転倒から保護するとともに、振動が装置に伝わるのを抑制する。【解決手段】  本発明の配電盤や制御盤等の装置の据付構造は、据付ベース１の装置載置部１３の上面に配電盤や制御盤等の装置２の筐体２１の底面２２を重ね合わせて載置し、これら重ね合わせ面をボルト４とナット５により締め付けて結合する。前記据付ベース１の装置載置部１３の下面には振動吸収ラバー３を配置し、該振動吸収ラバー３を介してボルト４とナット５により前記据付ベース１の装置載置部１３の上面と前記装置筐体２を締め付けて結合した。また、前記据付ベース１と、装置２の筐体２１の底面２２の間にスラストベアリング６を介在させた。  【選択図】  図１
2006014384.tif 000002
【特許請求の範囲】
【請求項１】
据付ベースの上面に装置を重ね合わせて載置し、これら重ね合わせ面をボルトとナットにより締め付けて結合した装置の据付構造において、
前記据付ベースの下面に、振動吸収ラバーを配置し、該振動吸収ラバーを介して前記据付ベースの上面と前記装置の重ね合わせ面を前記ボルトとナットにより締め付けて結合したことを特徴とする装置の据付構造。
【請求項２】
前記振動吸収ラバーは、円筒状に形成されていて一方の端面には、前記ボルトの頭部またはナットを受ける金具が取り付けられていることを特徴とする請求項１に記載の装置の据付構造。
【請求項３】
前記据付ベースの上面と装置の間には、スラストベアリングが介在されていることを特徴とする請求項１または請求項２に記載の装置の据付構造。
【発明の詳細な説明】
【技術分野】
【０００１】
本発明は、配電盤や制御盤等の装置を床面等に据付ける装置の据付構造に関するものである。
【背景技術】
【０００２】
配電盤や制御盤等の装置を床面等に据付けるための据付構造として、例えば図５に示すものが知られている。前記据付構造は、据付ベース１０１の装置載置部１０２の上面に、配電盤や制御盤等の装置筐体１０３の底面１０４を重ね合わせて載置し、これら重ね合わせ面をボルト１０５とナット１０６により締め付けて結合する構成になっている。
【０００３】
前記据付ベース１０１は、基礎ボルト（図示省略）によりフロア１０７面上に固定されている。基礎ボルトの取付具としては、例えば特許文献１または特許文献２が知られている。
【特許文献１】特開平０６−０２２１１５号公報
【特許文献２】特開２００２−０５８１１５号公報
【発明の開示】
【発明が解決しようとする課題】
【０００４】
ところで、前記従来の据付構造は、地震の際などに配電盤や制御盤等の装置が転倒を防止することを主たる目的とする。
【０００５】
上述したように前記従来の据付構造は、据付ベース１０１を基礎ボルトによりフロア等の据付面１０７上に固定するとともに、前記据付ベース１０１の装置載置部１０２の上面に、配電盤や制御盤等の装置筐体１０３の底面１０４を重ね合わせて、両者をボルト１０５とナット１０６によりリジットに取り付ける構成になっているために、地震の際などに配電盤や制御盤等の装置筐体１０３が転倒するのを防止することはできるが、フロア等の据付面１０７から伝わってくる振動を減衰させることはできず、地震等の振動が前記ボルト１０５やナット１０６を伝わってダイレクトに配電盤や制御盤等の装置筐体１０３に伝達される。
【０００６】
配電盤や制御盤等は、比較的振動に強いがそれでも装置の高密度化や高性能化にょり振動の影響を受けやすくなっている。また、精密装置やコンピュータ等も振動の影響を受けやすいためにこれら振動の影響を受けやすい装置の据付構造にあっては装置の転倒の防止は勿論のこと、免振、即ち装置へ伝わる振動を抑制することが要求される。
【０００７】
建物や構造物等についての免振構造として、例えば特開平１１−３６６５６号公報が知られているが、この免振構造は、専ら建物や構造物に適用するものであって、配電盤や制御盤等の装置を床面等に据付けるための据付構造に適用できるものではない。
【０００８】
本願発明の目的は、地震等による装置の転倒防止は勿論のこと、振動が装置に伝わるのを抑制することのできる免振機能を備えた配電盤や制御盤等の装置の据付構造を提供することにある。
【課題を解決するための手段】
【０００９】
請求項１の発明は、据付ベースの上面に装置筐体を重ね合わせて載置し、これら重ね合わせ面をボルトとナットにより締め付けて結合した装置の据付構造において、前記据付ベースの下面に、振動吸収ラバーを配置し、該振動吸収ラバーを介して前記据付ベースの上面と前記装置筐体の重ね合わせ面を前記ボルトとナットにより締め付けて結合した。
【００１０】
請求項２の発明は、請求項１の装置の据付構造において、前記振動吸収ラバーを、円筒状に形成し、一方の端面に前記ボルトの頭部またはナットを受ける金具を取り付けた。
【００１１】
請求項３の発明は、請求項１または請求項２のいずれかに記載の装置の据付構造において、前記据付ベースの上面と装置筐体の間に、スラストベアリングを介在させた。
【発明の効果】
【００１２】
（１）請求項１の装置の据付構造は、据付ベースの上面と装置筐体を重ね合わせて、両者をボルトとナットにより結合するので、据付ベース上の装置筐体が倒れるのを防止することができる。特に、フロア等の据付面から伝わってくる振動を前記振動吸収ラバーで吸収して振動が装置筐体に伝わるのを抑制することができる。
（２）請求項２の装置の据付構造は、前記振動吸収ラバーを円筒状に形成し、一方の端面に前記ボルトの頭部またはナットを受ける金具を取り付けたので、ボルトとナットにより前記振動吸収ラバーを介して、据付ベース上に装置筐体を確実、強固に取り付けることができる。
（３）請求項３の装置の据付構造は、前記据付ベースの上面と装置筐体の間に、スラストベアリングを介在させたので、地震等が発生した場合に前記スラストベアリング上で装置筐体を滑らせて振動を吸収することができる。
【発明を実施するための最良の形態】
【００１３】
図１は本発明の据付構造の断面図、図２は前記据付構造の部品を分解した状態の斜視図である。本発明の据付構造は、据付ベース１上に、装置２の底面を重ね合わせて載置し、これら重ね合わせ面を振動吸収ラバー３を介してボルト４とナット５により締め付けて結合する構成になっている。
【００１４】
前記据付ベース１は、一対の脚部１１，１２と、これら一対の脚部１１，１２の上端部間に跨がる装置載置部１３と、により略コ状に形成されている。前記装置載置部１３には、前記ボルト４を通すための円形のボルト挿通孔１４が設けられている。
【００１５】
前記装置２は、配電盤或いは制御盤として構成されている。前記装置２は、筐体２１の底面２２が前記据付ベース１の装置載置部１３の上面に載置される。前記筐体２１の底面２２には前記ボルト４を通すためのボルト挿通孔２３が設けられている。
【００１６】
前記振動吸収ラバー３は、ゴムやプラスチック等の弾性材で円筒状に形成されている。実施例において、前記振動吸収ラバー３の外径は、前記装置載置部１３のボルト挿通孔１４よりも大径に形成され、前記振動吸収ラバー３の内径は、前記装置載置部１３のボルト挿通孔１４よりも小径に形成されている。（前記振動吸収ラバー３の内径は、前記装置載置部１３のボルト挿通孔１４と同径であっても、或いは前記装置載置部１３のボルト挿通孔１４よりも若干小径であってもよい）。また、実施例では、前記振動吸収ラバー３の内径（孔３１の直径）は、前記ボルト４の直径の約３倍程度の大きさに形成されていて、前記振動吸収ラバー３の孔３１の中心に前記ボルト４を通した場合に、前記ボルト４の外周面と前記振動吸収ラバー３の孔３１の内周面３２の間に前記ボルト４の直径と略同じ程度の隙間δが発生するようになっている。前記隙間δが大きければ大きい程、許容振幅が増す。また、前記振動吸収ラバー３の下端面には、前記ナット５（またはボルト４の頭部４１）を受ける金具３３が取り付けられている。前記金具３３は、前記振動吸収ラバー３の外径よりもやや小径の円板状に形成されていて、中央部に前記ボルト４を通すボルト挿通孔３４（図２参照）を備えている。前記金具３３は、前記振動吸収ラバー３の下面に接着剤で接着され、或いは前記振動吸収ラバー３を成形する際に所謂インサートにより一体的に成形されている。
【００１７】
前記ボルト４は、頭部４１とネジ軸４２とからなっている。前記頭部４１は、前記筐体２１の底面２２のボルト挿通孔２３よりも大径に形成されている。前記ネジ軸４２は、前記ボルト挿通孔２３よりも小径に形成されている。
【００１８】
前記ナット５は、前記金具３３のボルト挿通孔３４よりも大径に形成されていて、前記金具３３の下面側において前記ネジ軸４２の先端に螺合される。
【００１９】
前記据付ベース１の装置載置部１３の上面と前記装置２の筐体２１の底面２２の間には、スラストベアリング６が介在されている。前記スラストベアリング６は、ベースプレート６１の上面に多数の金属ボール６２を回転自在に取り付けることにより形成されている。そして、前記ベースプレート６１が前記据付ベース１の装置載置部１３の上面に取り付けられていて、前記多数の金属ボール６２上に前記装置２の筐体２１の底面２２を支持するようになっている。
【００２０】
次に、本発明の据付構造の組み立て工程の一例について説明する。先ず前記据付ベース１の装置載置部１３の上面に前記スラストベアリング６を取り付け、下面に前記振動吸収ラバー３の上端面を取り付ける。次に、前記スラストベアリング６の金属ボール６２上に前記装置２の筐体２１の底面２２を載せる。そして、前記装置２の筐体２１の底面上から前記ボルト４のネジ軸４２を前記装置載置部１３のボルト挿通孔１４に挿入するとともに、前記ネジ軸４２の先端部を前記金具３３のボルト挿通孔３４から突出させる。そして、前記ネジ軸４２の先端部にナット５を螺合して、これらボルト４とナット５の締め付けを行うことにより本発明の据付構造の組み立てが完了する。
【００２１】
次に、本発明の据付構造の作用について説明する。図３に示すように、地震等により矢印Ａ方向の加速度が作用すると、前記振動吸収ラバー３は、矢印Ａ方向と逆の矢印Ｂ方向に撓む。前記前記振動吸収ラバー３が矢印Ｂ方向に撓むと、前記装置２の筐体２１は、前記スラストベアリング６の金属ボール６２上を前記振動吸収ラバー３の撓み方向と同じ矢印Ｂ方向に移動する。また、図４に示すように、地震等により矢印Ｃ方向の加速度が作用すると、前記振動吸収ラバー３は、矢印Ｃ方向と逆の矢印Ｄ方向に撓む。前記前記振動吸収ラバー３が矢印Ｄ方向に撓むと、前記装置２の筐体２１は、前記スラストベアリング６の金属ボール６２上を前記振動吸収ラバー３の撓み方向と同じ矢印Ｄ方向に移動する。上記作用によって、地震等の振動を減衰し、前記装置２の転倒防止は勿論のこと、前記装置２に振動が伝わるのを抑制して、振動から前記装置２を保護する。
【図面の簡単な説明】
【００２２】
【図１】本発明の据付構造の断面図。
【図２】本発明の据付構造の分解斜視図。
【図３】本発明の据付構造の作用を示す説明図。
【図４】本発明の据付構造の作用を示す説明図。
【図５】従来例の断面図。
【符号の説明】
【００２３】
１…据付ベース
２…配電盤等の装置
３…振動吸収ラバー
４…ボルト
５…ナット
６…スラストベアリング
【図１】
2006014384.tif 000003
【図２】
2006014384.tif 000004
【図３】
2006014384.tif 000005
【図４】
2006014384.tif 000006
【図５】
2006014384.tif 000007